(57)【要約】【課題】表示画面の検出に対してユーザが意図的なリモコン操作を行なう必要が低減し、より自然なリモコン操作を通して検出を行ない、環境光を考慮した色と明るさの自動補正を行なうことを目的とする。【解決手段】入力ボタンが押されたかどうかを判断し、ボタンが押された場合は、ステップＳ１０２にてどのボタンが押されたかを示す情報制御指示情報を読み込み、画像表示装置へ送信する（ステップＳ１０３）。制御指示情報毎に設定された検出待ち時間を読み出し、指定された時間が経過したかどうかを判断し（ステップＳ１０４）、経過した場合は表示画面の検出を行なう（ステップＳ１０５）。検出された検出情報から表示画面全体、又は一部の領域を識別し、識別した領域を切り出し、ステップＳ１０６にて、切り出された検出情報を画像表示装置へ送信する。【選択図】図４
2008042472.tif 000002
【特許請求の範囲】
【請求項１】
リモコン装置を有する画像表示装置であって、
前記リモコン装置は、前記画像表示装置の遠隔制御を行なう制御指示手段と、前記画像表示装置の表示画面を検出する検出手段と、前記制御指示手段の制御指示情報、及び前記検出手段の検出情報を送信する送信手段と、を備え、
前記画像表示装置は、前記リモコン装置によって送信される制御指示情報、及び検出情報を受信する受信手段と、前記受信した検出情報と、前記画像表示装置が保持する目標画像情報と、に基づき、画像の色と明るさの補正を行なう補正手段と、を備え、
前記検出手段は、前記画像表示装置の表示画面を検出するタイミングが前記制御指示情報毎に設定されていることを特徴とする画像表示装置。
【請求項２】
前記検出手段は、前記検出情報から、反射光を含む前記画像表示装置の表示画面全体、又は一部の領域を識別し、識別した領域を切り出すことを特徴とする請求項１に記載の画像表示装置。
【請求項３】
前記補正手段は、前記検出情報から、反射光を含む前記画像表示装置の表示画面全体、又は一部の領域を識別し、識別した領域を切り出すことを特徴とする請求項１に記載の画像表示装置。
【発明の詳細な説明】
【技術分野】
【０００１】
本発明は、環境光の影響を考慮して画像を補正するための画像表示装置に関する。
【背景技術】
【０００２】
画像表示装置は、環境光（表示画面周辺の明るさ、室内の照明光、日光等）によって、画像の色や明るさが変化するため、見え方が異なるという問題がある。
【０００３】
このため、環境光の影響を考慮した画像の色と明るさの補正を行なうために、キャリブレーション画像を表示し、それを色光センサによって測色することで目標色を再現できるように補正を行なう画像表示装置がある（例えば、特許文献１参照）。
【０００４】
一方で、センサの取り付け位置がユーザ（観測者）の観測地点から離れている場合、センサによる観測画像とユーザによる観測画像との間に差が生じることがあるため、正確な補正を行なうことが難しいという問題がある。
【０００５】
このような問題を解決するために、センサによる観測画像とユーザによる観測画像との間に生じる差を減少させるために、リモコンにセンサを取り付けた画像表示装置がある（例えば特許文献２、許文献３参照）。
【０００６】
特許文献２は、明るさの補正を行なう投影型の画像表示装置である。一般的に投影型の画像表示装置を使用する場合、リモコン装置はユーザが所持していることが多く、且つ発表者は投影されるスクリーンに近い位置にいる場合が多い。これらの点に着目し、外光量を検出するための検出センサをリモコン装置に取り付け、リモコン装置周辺の外光量を検出することで検出センサ位置での外光量とユーザ位置での外光量との間に生じる差を減少させ、正確な補正を行なうことを目的としている。
【０００７】
また特許文献３は、スクリーンを使用するプロジェクタ装置において、画像調整用の認識パターンをスクリーンに投影した後、センサを用いて反射した投影画像を検出し、フォーカス、ズーム、キーストン、照度調整を自動的に行なう装置である。この時、検出センサをリモコン装置に取り付けることでプロジェクタの設置場所や投影方法によらないフォーカス、ズーム、キーストン、照度の自動調整装置を提供している。
【０００８】
【特許文献１】特開２００３−２８０６２９号公報
【特許文献２】特開２００４−１２８９６１号公報
【特許文献３】特開２００４−２９７４０１号公報
【発明の開示】
【発明が解決しようとする課題】
【０００９】
特許文献２では外光量のみを検出し明るさ調整をしており、表示画面の検出は行なっていない。表示画面の検出を行なう場合、例えば従来手法である特許文献３では、ユーザがキャリブレーション画像や認識パターンを表示画面に表示した後、検出センサを表示画面に向けリモコン操作を行なうことで検出をしている。
【００１０】
フォーカス、ズーム、キーストンのようなプロジェクタ装置の調整は初期設定で行なうことが一般的で、頻繁に調整することは少ないが、環境光を考慮した色と明るさの自動補正を行なう場合は、環境光の変化に伴って何度も補正を行なう必要がある。
【００１１】
環境光を考慮した色と明るさの自動補正を行なう時に、従来手法のようなリモコン装置に取り付けられた検出センサによって表示画面上のキャリブレーション画像や認識パターンを検出する方法を用いることもできる。しかしながら、ユーザは環境光に変化が生じる度に表示画面の検出を目的とした意図的なリモコン操作を行なう必要があり、不便である。
【００１２】
本発明では、表示画面の検出に対してユーザが意図的なリモコン操作を行なう必要が低減し、より自然なリモコン操作を通して検出を行ない、環境光を考慮した色と明るさの自動補正を行なうことを目的とする。
【課題を解決するための手段】
【００１３】
本発明の画像表示装置は、リモコン装置を有する画像表示装置であって、前記リモコン装置は、前記画像表示装置の遠隔制御を行なう制御指示手段と、前記画像表示装置の表示画面を検出する検出手段と、前記制御指示手段の制御指示情報、及び前記検出手段の検出情報を送信する送信手段と、を備え、前記画像表示装置は、前記リモコン装置によって送信される制御指示情報、及び検出情報を受信する受信手段と、前記受信した検出情報と、前記画像表示装置が保持する目標画像情報と、に基づき、画像の色と明るさの補正を行なう補正手段と、を備え、前記検出手段は、前記画像表示装置の表示画面を検出するタイミングが前記制御指示情報毎に設定されていることを特徴とする。
【発明の効果】
【００１４】
本発明においては、画像表示装置の表示画面を検出するための検出センサをリモコン装置に取り付け、検出情報に基づいて環境光を考慮した色と明るさの自動補正を行なう場合に、表示画面の検出に対してユーザが意図的なリモコン操作を行なう必要が低減する。そして、より自然なリモコン操作を通して検出を行ない、環境光を考慮した色と明るさの自動補正を行なうことが可能となる。
【発明を実施するための最良の形態】
【００１５】
以下、本発明の実施の形態について図面を用いて説明する。図１は、本発明の第1の実施形態である画像表示装置のリモコン装置１００の外観例であり、符号１０１は送信機、符号１０２は検出センサ、符号１０３は入力ボタン群である。
【００１６】
リモコン装置１００には、ユーザが画像表示装置の制御を指示するための入力ボタン群１０３と、画像表示装置の表示画面を検出するための検出センサ１０２が備え付けられている。
【００１７】
画像表示装置の制御を指示するための制御指示情報と、検出センサ１０２によって得られた検出情報は、同じくリモコン装置１００に取り付けられた送信機１０１によって画像表示装置へと送信される。
【００１８】
一般的にリモコン装置を使用する場合、リモコン装置はユーザが所持しており、またリモコン装置を用いて制御指示情報を送信する際、赤外線通信を利用している点から、リモコン装置の送信部分を画像表示装置に向けて操作することが多い。
【００１９】
図１のリモコン装置１００において、検出センサ１０２を送信機１０１の送信方向に向けて設置することで、ユーザが制御指示情報を送信する際に、自然と検出センサ１０２を画像表示装置の表示画面に向けることが可能である。
【００２０】
また、表示画面の検出に対してユーザが意図的なリモコン操作を行なう必要が低減する。
【００２１】
図２は、本発明の実施形態である画像表示装置のリモコン装置１００の構成図である。
【００２２】
符号２０１はボタン入力部、符号２０２は画像処理部、符号２０３はメモリ部、符号２０４はリモコン制御部、符号２０５は送信機１０１が取り付けられた送信部、符号２０６は検出センサ１０２が取り付けられた検出部である。
【００２３】
ボタン入力部２０１は、入力ボタンが押されたかどうかを判断し、入力ボタンが押された場合は、どの入力ボタンが押されたかを示す制御指示情報をリモコン制御部２０４へ送る。
【００２４】
リモコン制御部２０４では、制御指示情報を判断し、送信手段に適した形式の信号を生成するために、メモリ部２０３から該当する信号を読み出し、送信部２０５から画像表示装置へ送信する。
【００２５】
また、リモコン制御部２０４では、制御指示情報毎にメモリ部２０３に格納された検出待ち時間を読み出し、指定された時間が経過した後、検出部２０６へ駆動信号を送る。
【００２６】
つまり、検出待ち時間を設定することで、表示画面を検出するタイミングの指定が可能となる。検出待ち時間は、画像表示装置の表示特性や制御指示内容に応じて個別に設定を行なうことができ、具体的な検出待ち時間の設定方法として以下の２つの例がある。
【００２７】
（１）  画像表示装置をテレビとして使用し、テレビチャンネルの変更指示を行なう場合は、表示画面が切り替わり、画像が安定するまでの時間を検出待ち時間として設定する。
（２）  画像表示装置をテレビとして使用し、音量の変更指示を行なう場合は、変更指示を行なうと同時、もしくは直後に表示画面の検出を行なっても、表示画面上の画像が十分安定していると考えられるので、特に検出待ち時間を設定しない。
【００２８】
メモリ部２０３には、送信手段に適した形式の信号を生成するための情報や検出待ち時間が格納されている他に、制御部の制御プログラムが格納されたＲＯＭや、演算用ワークエリア、各種データ記憶としてのＲＡＭ等が存在する。
【００２９】
検出部２０６では、リモコン制御部２０４からの駆動信号を受けて表示画面の検出を行ない、検出情報を画像処理部２０２へ送る。検出部２０６で検出された検出情報には、画像表示装置の表示画面全体の情報がすべて含まれているとは限らない。
【００３０】
また、表示画面以外の情報も含まれており、このため検出情報から画像表示装置の表示画面全体、又は一部の領域を識別し、識別した領域の情報を抽出する必要がある。これによって、識別した領域の情報から補正に必要とする領域の情報のみを抜粋することも可能となる。
【００３１】
画像処理部２０２では、検出情報から反射光を含む画像表示装置の表示画面全体、又は一部の領域を識別し、識別した領域を切り出す。具体的な表示画面領域の識別方法として以下の２つの例がある。
【００３２】
（１）  画面全体の輝度分布から表示画面領域を識別する。
（２）  画像表示装置をテレビとして使用し、テレビチャンネルの変更指示や音量の変更指示を行なう場合は、画面上に表示されるチャンネル番号や音量バーを基準に表示画面領域を識別する。
【００３３】
画像処理部２０２では、表示画面領域の識別と切り出しの他に、Ａ／Ｄ変換や画像の圧縮処理を行なう。圧縮処理の有無、方式は任意であるが、一般的にはＪＰＥＧ（Ｊｏｉｎｔ Ｐｈｏｔｏｇｒａｐｈｉｃ Ｅｘｐｅｒｔｓ Ｇｒｏｕｐ）方式が挙げられる。
【００３４】
画像処理部２０２によって処理された検出情報は、リモコン制御部２０４へ送られ、送信手段に適した形式の信号が生成された後、送信部２０５から画像表示装置へ送られる。
【００３５】
送信部２０５における送信形式には、無線通信方式（電磁波通信、超音波通信、赤外線等の光通信）を用いる。
【００３６】
図３は、本発明の実施形態である画像表示装置の受信部と補正部を中心とした構成図である。符号３０１は受信部、符号３０２は補正部、符号３０３はメモリ書き込み信号生成部、符号３０４はメモリ部、符号３０５は補正値生成部、符号３０６は入力表示画像情報、符号３０７は出力表示画像情報である。
【００３７】
入力表示画像情報３０６は、例えば標準化団体であるＤＤＷＧ（Ｄｉｇｉｔａｌ Ｄｉｓｐｌａｙ Ｗｏｒｋｉｎｇ Ｇｒｏｕｐ）が標準化したＤＶＩ（Ｄｉｇｉｔａｌ  Ｖｉｓｕａｌ  Ｉｎｔｅｒｆａｃｅ）規格などの画像の伝送方式であるＴＭＤＳ（Ｔｒａｎｓｉｔｉｏｎ Ｍｉｎｉｍｉｚｅｄ Ｄｉｆｆｅｒｅｎｔｉａｌ Ｓｉｇｎａｌｉｎｇ）方式の信号入力である。
【００３８】
出力表示画像情報３０７の出力先は、例えば液晶パネルの駆動回路であるが、その間にＤ/Ａ変換やガンマ補正等の処理が施される。
【００３９】
受信部３０１は、リモコン装置１００の送信部２０５から送られる制御指示情報と検出情報を受信し、制御指示情報は書き込み信号生成部３０３へ、検出情報は補正値生成部３０５へ送出する。
【００４０】
補正値生成部３０５では、まず検出情報から反射光を含む画像表示装置の表示画面全体、又は一部の領域を識別し、識別した領域を切り出す。
【００４１】
具体的な表示画面領域の識別方法は前述の通りであり、また、表示画面領域の識別と、識別した領域の切り出しは、補正値生成部３０５ではなく、リモコン装置１００の画像処理部２０２のいずれ、又は両方で行なっても良い。
【００４２】
表示画面領域の識別と、識別した領域の切り出しが行なわれた後、補正値生成部３０５では、検出情報と目標画像情報との差分を算出し、色と明るさの補正値を生成する。目標画像情報には出力表示画像情報３０７を使用する。
【００４３】
メモリ書込み信号生成部３０３では、制御指示情報毎に設定された検出待ち時間に基づいてリモコン装置１００による表示画面の検出がいつ行なわれるかを推測し、そのときの出力表示画像情報３０７をメモリ部３０４へ書き込むための書き込み信号を生成する。つまりメモリ部３０４に書き込まれた出力表示画像情報３０７が、目標画像情報として扱われる。
【００４４】
補正部３０２では、補正値生成部３０５によって生成された補正値を基に、入力表示画像情報３０６の色と明るさの補正を行なう。
【００４５】
図４は、本発明の実施形態である画像表示装置のリモコン装置における制御の処理フローである。
【００４６】
まずステップＳ１０１では、入力ボタンが押されたかどうかを判断し、ボタンが押された場合は、ステップＳ１０２にてどのボタンが押されたかを示す情報制御指示情報を読み込み、画像表示装置へ送信する（ステップＳ１０３）。
【００４７】
制御指示情報毎に設定された検出待ち時間を読み出し、指定された時間が経過したかどうかを判断し（ステップＳ１０４）、経過した場合は表示画面の検出を行なう（ステップＳ１０５）。
【００４８】
検出された検出情報から表示画面全体、又は一部の領域を識別し、識別した領域を切り出し、ステップＳ１０６にて、切り出された検出情報を画像表示装置へ送信する。
【００４９】
なお、具体例としてあげた検出待ち時間の設定方法と表示画面領域の識別方法、また表示画像情報の伝送方式など前記画像表示装置の構成については、上記実施の形態に限らない。
【００５０】
また、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００５１】
この場合、記憶媒体から読み出されたプログラムコード自体が前述した実施形態の機能を実現することになり、そのプログラムコードを記憶した記憶媒体は本発明を構成することになる。
【００５２】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行ない、その処理によって前述した実施形態の機能が実現される場合も含まれることは言うまでもない。
【００５３】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行ない、その処理によって前述した実施形態の機能が実現される場合も含まれることは言うまでもない。
【００５４】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
プログラムを供給する記録媒体としては、例えば、ＲＡＭ、ＮＶ−ＲＡＭ、フロッピー（登録商標）ディスク、光ディスク、光磁気ディスクでよい。
【００５５】
また、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００５６】
或いは、上記プログラムは、インターネット、商用ネットワーク、若しくはローカルエリアネットワーク等に接続される不図示の他のコンピュータやデータベース等からダウンロードすることにより供給される。
【００５７】
以上、本発明の画像表示装置は、その表示画面を検出するための検出センサをリモコン装置に取り付け、検出情報に基づいて環境光を考慮した色と明るさの自動補正を行なう場合に、表示画面の検出に対してユーザが意図的なリモコン操作を行なう必要が低減する。
【００５８】
また、より自然なリモコン操作を通して検出を行ない、環境光を考慮した色と明るさの自動補正を行なうことが可能となる。
【図面の簡単な説明】
【００５９】
【図１】本発明の実施の形態に係る画像表示装置のリモコン装置の外観例を示す図である。
【図２】本発明の実施の形態に係る画像表示装置のリモコン装置の構成図である。
【図３】本発明の実施の形態に係る画像表示装置の受信部と補正部を中心とした構成図である。
【図４】本発明の実施の形態に係る画像表示装置のリモコン装置における制御の処理フローチャートである。
【符号の説明】
【００６０】
１００  リモコン装置
１０１  送信機
１０２  検出センサ
１０３  入力ボタン群
２０１  ボタン入力部
２０２  画像処理部
２０３  メモリ部
２０４  リモコン制御部
２０５  送信部
２０６  検出部
３００  画像表示装置
３０１  受信部
３０２  補正部
３０３  メモリ書き込み信号生成部
３０４  メモリ部
３０５  補正値生成部
３０６  入力表示画像情報
３０７  出力表示画像情報
【図１】
2008042472.tif 000003
【図２】
2008042472.tif 000004
【図３】
2008042472.tif 000005
【図４】
2008042472.tif 000006